(57)【要約】【課題】紙葉類処理装置から払い出される紙葉類に濃い繰出し跡が付くことを防止する。【解決手段】紙葉類の払い出しを行うための紙葉類処理装置は、紙葉類の繰出し機構を有する装填部３３０から繰出された紙葉類を、紙葉類の繰出し機構を有する収納部３２０に搬送する。装填部３３０及び収納部３２０の繰出し機構は、紙葉類を繰り出す際に紙葉類に接する接触部（例えば、逆転ローラ３３５，３２５）を有し、装填部３３０の接触部（例えば、逆転ローラ３３５）及び収納部３２０接触部（例えば、逆転ローラ３２５）は、紙葉類への接触位置の少なくとも一部が互いに異なるように構成されている。【選択図】図１０
2018077661.tif 000002
【特許請求の範囲】
【請求項１】
紙葉類の払い出しを行うための紙葉類処理装置であって、
紙葉類の繰出し機構を有する複数の集積部と、
前記複数の集積部のうちの搬送元集積部から繰出された紙葉類を、前記複数の集積部のうちの搬送先集積部に搬送する搬送部とを備え、
前記各集積部の繰出し機構は、紙葉類を繰り出す際に紙葉類に接する接触部を有し、
前記搬送元集積部の接触部及び前記搬送先集積部の接触部は、紙葉類への接触位置の少なくとも一部が互いに異なるように構成されている
ことを特徴とする紙葉類処理装置。
【請求項２】
請求項１記載の紙葉類処理装置において、
前記繰出し機構は、紙葉類に接触して繰り出す繰出しローラと、前記繰出しローラで繰出される紙葉類に接触して紙葉類が重なった状態で前記搬送元集積部から繰り出されるのを阻止する紙葉類分離部とを備え、
前記接触部は、前記繰出しローラ及び前記紙葉類分離部のうちの少なくとも一方である
ことを特徴とする紙葉類処理装置。
【請求項３】
請求項２記載の紙葉類処理装置において、
前記接触部は、少なくとも前記紙葉類分離部を含み、
前記搬送元集積部の紙葉類分離部及び前記搬送先集積部の紙葉類分離部は、紙葉類への接触位置が互いに異なるように構成されている
ことを特徴とする紙葉類処理装置。
【請求項４】
請求項１記載の紙葉類処理装置において、
前記搬送元集積部の接触部及び前記搬送先集積部の接触部は、紙葉類の同じ面に接触するように構成され、該同じ面において接触位置の少なくとも一部が互いに異なるように構成されている
ことを特徴とする紙葉類処理装置。
【請求項５】
請求項１記載の紙葉類処理装置において、
前記搬送元集積部の接触部及び前記搬送先集積部の接触部は、紙葉類の互いに異なる面に接触するように構成されている
ことを特徴とする紙葉類処理装置。
【請求項６】
請求項１記載の紙葉類処理装置において、
前記接触部は、紙葉類の繰出し方向と直交する方向に並べて配置された複数の接触体を含み、
前記搬送元集積部と前記搬送先集積部とで前記接触体の数が異なる
ことを特徴とする紙葉類処理装置。
【請求項７】
請求項１から６のうちのいずれか１項に記載の紙葉類処理装置において、
前記搬送元集積部は、前記紙葉類処理装置の外部から紙葉類の装填が可能に構成された装填部であり、
前記搬送先集積部は、紙葉類を一時的に保留する一時保留部または紙葉類を収納する収納部の少なくとも一方である
ことを特徴とする紙葉類処理装置。
【請求項８】
請求項１から６のうちのいずれか１項に記載の紙葉類処理装置において、
前記複数の集積部は、紙葉類を収納する収納部と、紙葉類を一時的に保留する一時保留部とを含み、
前記収納部または前記一時保留部の一方が前記搬送元集積部であり、他方が前記搬送先集積部である
ことを特徴とする紙葉類処理装置。
【請求項９】
請求項１から８のうちのいずれか１項に記載の紙葉類処理装置において、
前記紙葉類は、新券である
ことを特徴とする紙葉類処理装置。
【請求項１０】
請求項１から８のうちのいずれか１項に記載の紙葉類処理装置において、
前記紙葉類は、有価証券である
ことを特徴とする紙葉類処理装置。
【発明の詳細な説明】
【技術分野】
【０００１】
ここに開示する技術は、紙葉類処理装置に関する。
【背景技術】
【０００２】
特許文献１には、新券紙幣専用の複数の新券収納庫を有する紙幣入出金機が記載されている。この紙幣入出金機において、新券補充処理では、繰出部が取引口の載置板上に載置された新券紙幣を繰り出し、識別部が識別計数し、計数後の紙幣は対応する新券収納庫へと収納される。また、紙幣出金処理では、出金が指示されると、繰出部が対応する新券収納庫から新券紙幣を繰り出し、繰り出された紙幣は搬送路を介して取引口に搬送される。
【先行技術文献】
【特許文献】
【０００３】
【特許文献１】特開２０１３−３３３５７号公報
【発明の概要】
【発明が解決しようとする課題】
【０００４】
ところで、前記特許文献１に記載されたような紙幣入出金機では、新券補充処理と紙幣出金処理において、それぞれの繰出部による繰出し処理を受ける。すなわち、少なくとも２回の繰出しを受ける。一般的な紙幣の繰出し機構では、繰出しローラに加えて、複数枚重なった紙葉類を１枚ずつに分離するための逆転ローラを備えており、この逆転ローラに付着したインク等が紙葉類に転写し、筋状の汚れが若干付着する場合がある。さらに、複数枚重なった紙葉類を分離する際に、逆転ローラとの当接部分において、紙葉類同士が擦れ合うことで筋状の汚れが若干付着する場合がある。簡易な構成で繰出し機構を実現する場合、例えば、複数の繰出し処理に対して同じ繰出し機構を適用すると、複数の繰出し処理によって上記汚れが重なることにより汚れが濃くなる場合がある。このような事象が、発生するのは好ましくなく、特に新券において好ましくない。
【０００５】
ここに開示する技術は、かかる点に鑑みてなされたものであり、その目的とするところは、紙葉類処理装置から払い出される紙葉類に繰出し跡が付きにくくすることである。
【課題を解決するための手段】
【０００６】
ここに開示する技術は、紙葉類の払い出しを行うための紙葉類処理装置に係り、紙葉類の繰出し機構を有する複数の集積部と、前記複数の集積部のうちの搬送元集積部から繰出された紙葉類を、前記複数の集積部のうちの搬送先集積部に搬送する搬送部とを備える。
【０００７】
そして、前記各集積部の繰出し機構は、紙葉類を繰り出す際に紙葉類に接する接触部を有し、前記搬送元集積部の接触部及び前記搬送先集積部の接触部は、紙葉類への接触位置の少なくとも一部が互いに異なるように構成されている。
【０００８】
ところで、紙葉類処理装置が複数の集積部を有する場合に、搬送元集積部から搬送先集積部に紙葉類を搬送して待機状態とし、その後の操作者の操作等を受けて、搬送先集積部から払い出しのための繰り出しが行われる場合がある。すなわち、各紙葉類が複数の繰り出し処理を受ける場合があり、その繰り出し処理において、接触部から紙葉類に対してインク等の若干の汚れが転写する場合がある。また、重なって繰り出されようとした紙葉類同士が分離される際に、紙葉類間でインクが転写される場合もある。
【０００９】
ここで、「接触部」とは、紙葉類の繰り出しの際に紙葉類に接触する構成を広く含む概念である。すなわち、「接触部」は、紙葉類に接触して繰り出しを行う機構のみに限定されるものではなく、例えば、紙葉類の繰り出しの際に紙葉類に接触して重なった紙葉類を分離させる機構を含む。
【００１０】
また、「紙葉類の払い出し」とは、紙葉類を紙葉類処理装置の外側から取り出せる状態にすること全般を含む概念である。
【００１１】
この構成によると、搬送元集積部の接触部と、搬送先集積部の接触部との接触位置の少なくとも一部を互いに異ならせているので、仮に上記のように接触部から紙葉類へのインク等の転写がある場合においても、汚れが重なって濃くなることを防ぐことができる。
【００１２】
また、前記繰出し機構は、紙葉類に接触して繰り出す繰出しローラと、前記繰出しローラで繰出される紙葉類に接触して紙葉類が重なった状態で前記搬送元集積部から繰り出されるのを阻止する紙葉類分離部とを備え、前記接触部は、前記繰出しローラ及び前記紙葉類分離部のうちの少なくとも一方である、としてもよい。
【００１３】
繰り出し機構において、繰出しローラ及び紙葉類分離部は、紙葉類の繰り出し方向全体にわたって紙葉類に接触する。したがって、繰出しローラ及び紙葉類分離部のうちの少なくとも一方の位置を互いに異ならせることにより、より効果的に上記汚れの重なりを防ぐことができる。
【００１４】
さらに、前記接触部は、少なくとも前記紙葉類分離部を含み、前記搬送元集積部の紙葉類分離部及び前記搬送先集積部の紙葉類分離部は、紙葉類への接触位置が互いに異なるように構成されている、としてもよい。
【００１５】
紙葉類分離部は、繰り出される紙葉類との接触位置が擦れる場合がある。したがって、搬送元集積部の紙葉類分離部と搬送先集積部の紙葉類分離部との接触位置を互いに異ならせることにより、より効果的に上記汚れの重なりを防ぐことができる。
【００１６】
また、前記搬送元集積部の接触部及び前記搬送先集積部の接触部は、紙葉類の同じ面に接触するように構成され、該同じ面において接触位置の少なくとも一部が互いに異なるように構成されている、としてもよい。
【００１７】
また、前記搬送元集積部の接触部及び前記搬送先集積部の接触部は、紙葉類の互いに異なる面に接触するように構成されている、としてもよい。
【００１８】
ここでは、搬送元集積部の接触部と、搬送先集積部の接触部との接触位置の異ならせ方についてより具体的に特定している。すなわち、接触部が紙葉類の同じ面で接触する場合には、同じ面で位置を異ならせることにより、上記汚れの重なりを防ぐことができる。また、接触部が紙葉類の互いに異なる面で接触するように構成することにより、接触部の接触面の位置に拘わらず、上記汚れの重なりを防ぐことができる。
【００１９】
また、前記接触部は、紙葉類の繰出し方向と直交する方向に並べて配置された複数の接触体を含み、前記搬送元集積部と前記搬送先集積部とで前記接触体の数が異なる、としてもよい。
【００２０】
このように、複数の接触体を用いて紙葉類を処理することにより、接触体１つあたりの接触圧を弱めることができるので、紙幣への繰出し跡の付着を少なくすることができる。さらに、搬送元集積部と搬送先集積部とで接触体の数を異ならせることで、搬送元集積部と搬送先集積部との接触位置や接触圧を異ならせやすくなる。これにより、紙葉類をばらけやすくしたり、紙幣への繰出し跡に重なり部分がある場合でも、繰出し跡が濃くならないようにすることができる。
【００２１】
また、前記搬送元集積部は、前記紙葉類処理装置の外部から紙葉類の装填が可能に構成された装填部であり、前記搬送先集積部は、紙葉類を一時的に保留する一時保留部または紙葉類を収納する収納部の少なくとも一方である、としてもよい。
【００２２】
また、前記複数の集積部は、紙葉類を収納する収納部と、紙葉類を一時的に保留する一時保留部とを含み、前記収納部または前記一時保留部の一方が前記搬送元集積部であり、他方が前記搬送先集積部である、としてもよい。
【００２３】
ここでは、複数の集積部の構成をより具体的に特定している。例えば、装填部を有する紙葉類処理装置では、装填部と、収納部及び／または一時保留部とに繰り出し機構が設けられている場合があり、その繰出し機構において、紙葉類の接触位置の少なくとも一部を互いに異ならせることで、上記汚れの重なりを防ぐことができる。
【００２４】
また、前記紙葉類は、新券である、としてもよい。
【００２５】
さらに、前記紙葉類は、有価証券である、としてもよい。
【００２６】
ここでは、紙葉類の種別をより具体的に特定している。本開示に係る紙葉類処理装置は、新券か否かに拘わらず適用することが可能であるが、新券は使用過程による汚れが付着しておらず、紙葉類処理装置からの払い出しを利用する利用者としても、新券に汚れが付着していないことを期待している場合がある。したがって、本開示に係る技術は、紙葉類が新券の場合に特に効果がある。また、紙葉類は、紙幣に限定されず、有価証券においても適用することが可能である。有価証券においても、新規発行される有価証券は、贈答用に使用される場合も多く、汚れが付着していないことが望ましく、本開示に係る技術が好適に適用される。
【発明の効果】
【００２７】
以上説明したように、ここに開示する技術は、繰出し機構の接触部の接触位置を互いに異ならせることにより、仮に紙葉類処理装置から払い出される紙葉類に接触部等からの汚れが転写される場合であっても、その汚れを目立ちにくくすることができる。
【図面の簡単な説明】
【００２８】
【図１】図１は、貨幣処理装置の外観を示す図である。
【図２】図２は、紙幣入出金機の内部構造を示す図である。
【図３】図３は、新券払出機の内部構造を示す図である。
【図４】図４は、新券払出機の動作制御に係る構成を示すブロック図である。
【図５】図５は、収納部の概略構成を示す平面図である。
【図６】図６は、収納部の繰出しローラ及び逆転ローラの概略構成を示す斜視図である。
【図７】図７は、装填部の概略構成を示す平面図である。
【図８】図８は、装填部の繰出しローラ及び逆転ローラの概略構成を示す斜視図である。
【図９】図９は、装填処理および出金処理に係る紙幣の流れを例示するイメージ図である。
【図１０】図１０は、本実施形態において、装填処理および出金処理において紙幣の収納及び繰り出しを行うときの紙幣の繰出し跡の状態を例示する図である。
【図１１】図１１は、比較例において、装填処理および出金処理において紙幣の収納及び繰り出しを行うときの紙幣の繰出し跡の状態を例示する図である。
【図１２】図１２は、新券払出機の内部構造の他の例を示す図である。
【発明を実施するための形態】
【００２９】
以下、実施形態を図面に基づいて詳細に説明する。なお、以下の説明は例示である。
【００３０】
＜貨幣処理装置の概略構成＞
図１は、貨幣処理装置１の外観を示している。貨幣処理装置１は、貨幣を処理する多機能装置であって、いわゆるオープン出納システムを構成している。こうした貨幣処理装置１は、一般に、銀行やスーパーマーケットなどの分野において用いられる。
【００３１】
貨幣処理装置１は、複数の装置を組み合わせて構成されている。具体的に、貨幣処理装置１は、図１に示すように、紙幣を処理する紙幣処理機１００と、硬貨を処理する硬貨処理機２００と、新券の払出しを行うための新券払出機３００と、種々の伝票を発行するプリンタ４００と、貨幣処理装置１全体を制御する管理装置５００と、を備えている。管理装置５００は、操作者に対するヒューマンインターフェース部分である操作表示部５０１と、紙幣処理機１００を構成する各部を制御する制御部（図示省略）とを含む。本明細書では、貨幣処理装置１が備える構成のうち、特に、紙幣の処理に関する構成について詳細に説明する。
【００３２】
−紙幣処理機−
初めに、紙幣処理機１００の構成について説明する。
【００３３】
紙幣処理機１００は、バラ紙幣を処理する機構と、帯封紙幣を処理する機構とが一体化された装置として構成されており、当該紙幣処理機１００を利用して、紙幣の入金や出金をはじめとした、種々の処理を行うことができる。
【００３４】
図２は、紙幣処理機１００の概略構成を示している。なお、図２では、図面左側の側面が紙幣処理機１００の前面となっており、図面右側の側面が紙幣処理機１００の後面となっている。
【００３５】
紙幣処理機１００は、バラ紙幣の処理に関する構成として、箱状の筐体１０１と、紙幣が投入される入金部１０２と、バラ紙幣を収納するバラ紙幣収納部１０３と、紙幣を一時的に保留する一時保留部１０４と、バラ紙幣を出金するバラ紙幣出金部１０５と、搬送部１０６と、搬送部１０６に設けられかつ搬送部１０６により搬送された紙幣を一枚ずつ識別するように構成された識別部１０７とを備えている。搬送部１０６は、入金部１０２、バラ紙幣収納部１０３、一時保留部１０４、及び、バラ紙幣出金部１０５を相互に連結することにより、各部の間で紙幣を搬送するように構成されている。筐体１０１には、バラ紙幣収納部１０３、一時保留部１０４、バラ紙幣出金部１０５、搬送部１０６、及び、識別部１０７が収容される。
【００３６】
さらに、紙幣処理機１００は、出金時にリジェクト紙幣を集積する出金リジェクト部１１７と、搬送部１０６に設けられ、識別部１０７を通過した紙幣の表裏を反転する表裏反転部１０８とを備えており、これらもまた、筐体１０１に収容されている。
【００３７】
さらに、紙幣処理機１００は、帯封紙幣の処理に関する構成として、バラ状態の紙幣を集積する集積部１０９と、集積部１０９に集積された紙幣を所定の位置まで搬送する搬送部１１０と、搬送部１１０により搬送された紙幣を結束し、帯封紙幣を形成する結束部１１１と、帯封紙幣を搬送する搬送部１１２と、帯封紙幣を収納する帯封紙幣収納部１１５と、帯封紙幣を出金する帯封紙幣出金部１１６と、を備えている。これらもまた、筐体１０１に収容されており、管理装置５００の制御部により制御されるように構成されている。
【００３８】
入金部１０２は、例えば入金処理の際に紙幣が投入される入金口１０２ａを有している。入金口１０２ａは、筐体１０１の前面に開口していて、複数枚の紙幣を一度に受け入れ可能に構成されている。さらに、入金部１０２は、入金口１０２ａに投入された複数枚の紙幣を一枚ずつ、搬送部１０６へ繰り出す繰出し機構１０２ｂと、紙幣に混入した異物を検知するための金属検知センサ（図示省略）と、入金部１０２に操作者の手などが接触したことを検知するアクセス検知センサ（図示省略）とを有している。
【００３９】
バラ紙幣収納部１０３は、複数（本実施形態では４つ）、設けられており、それぞれ、スタック式の収納カセットとして構成されている。４つのバラ紙幣収納部１０３は、筐体１０１内の下方位置において、前後方向に一列に配置されており、後側に位置する３つの金種別収納部１０３ａと、前側に位置する１つの一括収納部１０３ｂと、を有している。各バラ紙幣収納部１０３の出入口には、紙幣を繰り出す繰出し機構１０３ｃが設けられている。
【００４０】
金種別収納部１０３ａには、それぞれ、入金部１０２に投入されたバラ紙幣が、金種別（本実施形態では、千円、五千円、及び、一万円）に収容されるように構成されている。一括収納部１０３ｂは、例えば、入金部１０２に投入された紙幣のうち、３つの金種別収納部１０３ａに収容しきれなかった紙幣（いわゆるオーバーフロー紙幣）、重送紙幣、及び、二千円などを一括して収納するようになっている。また、出金時において識別不可であったリジェクト紙幣が、この一括収納部１０３ｂに収納される場合がある。なお、金種別収納部１０３ａに収容する紙幣の金種は、適宜、個別に設定可能である。
【００４１】
バラ紙幣収納部１０３の手前側には、紙幣を一時的に保留するための一時保留部１０４が設けられている。一時保留部１０４は、バラ紙幣収納部１０３と同様に、スタック式の収納カセットとして構成されている。すなわち、一時保留部１０４の出入口には、紙幣を繰り出すための繰出し機構１０４ａが設けられている。
【００４２】
一時保留部１０４は、入金処理において識別部１０７により識別された紙幣が、バラ紙幣収納部１０３に収納される前に一時的に保留されたり、出金処理においてバラ紙幣収納部１０３から繰り出された紙幣が、バラ紙幣出金部１０５に搬送される前に一時的に保留されたりするようになっている。また、一時保留部１０４は、筐体１０１前面の下部に開口している取出口１０１ａに連通しており、この取出口１０１ａを通じて、一時保留部１０４に保留している紙幣を外部へ取り出すことができるようになっている。なお、取出口１０１ａは、筐体１０１の前部に設けられた下部扉１０１ｂにより開閉される。
【００４３】
バラ紙幣出金部１０５は、例えば出金処理の際にバラ紙幣が払い出される出金口１０５ａを有している。出金口１０５ａは、筐体１０１の前面において、入金口１０２ａよりも高さ方向の下側かつ取出口１０１ａよりも高さ方向の上側の位置に開口している。バラ紙幣出金部１０５は、搬送部１０６から出金口１０５ａへ送り出された紙幣を集積し、複数枚の紙幣を一度に保持することができるように構成されている。なお、バラ紙幣出金部１０５は、例えば装置内に紙幣を取り込む入金処理や装填処理において、リジェクト紙幣であると判定された紙幣を出金して集積するように構成されている。
【００４４】
出金リジェクト部１１７は、例えば装置内から紙幣を払い出す出金処理や回収処理において、リジェクト紙幣であると判定された紙幣を集積するように構成されている。出金リジェクト部１１７へ出金された紙幣は、操作者が所定の操作を行うことで、外部から取り除くことができるようになっている。なお、出金リジェクト部１１７は、筐体１０１の前面において、出金口１０５ａよりも高さ方向の下側かつ、取出口１０１ａよりも高さ方向の上側の位置に配設されている。
【００４５】
搬送部１０６は、筐体１０１内において無端ループ状の搬送路１０６ａを備えている。紙幣は、この搬送路１０６ａに沿って図２における時計回り方向及び反時計回り方向に搬送される。この搬送路１０６ａは、詳細は省略するが、多数のローラ、複数のベルト、これらを駆動するモータ、搬送される紙幣を検出するセンサ及び複数のガイドの組み合わせによって構成されている。搬送部１０６は、その搬送路１０６ａに沿って、紙幣と紙幣との間に所定間隔を隔てた状態で、紙幣の一長辺が先頭になるように（紙幣の短辺に平行な方向に）紙幣を一枚ずつ搬送する。
【００４６】
搬送部１０６には、入金部１０２、バラ紙幣収納部１０３、一時保留部１０４、バラ紙幣出金部１０５及び集積部１０９がそれぞれ接続されている。この接続によって、搬送部１０６は、例えば、入金部１０２とバラ紙幣収納部１０３との間で紙幣を搬送したり、バラ紙幣収納部１０３と一時保留部１０４との間で紙幣を搬送したり、することができる。さらに、例えば、搬送部１０６は、制御部から制御を受けて分岐点に設けられた分岐機構（図示省略）が動作することにより、搬送路１０６ａ上を時計回り方向または反時計回り方向に搬送されている紙幣を、一時保留部１０４、出金口１０５ａ、出金リジェクト部１１７又は集積部１０９等の所望の構成要素に搬送することができる。具体的には、例えば、一時保留部１０４から繰り出された紙幣を、搬送路１０６ａ上で時計回り方向または反時計回り方向に搬送させて、所望の構成要素に送り出すことができる。
【００４７】
識別部１０７は、搬送路１０６ａ上に配設されており、搬送路１０６ａに沿って搬送される紙幣の一枚一枚について、その金種、真偽、正損、及び、表裏などを識別するように構成されている。具体的には、識別部１０７は、ラインセンサ、及び、磁気センサ等を有しており、紙幣の特徴を取得する。識別部１０７は、紙幣の特徴が、記憶している各種紙幣の特徴と一致するか否かを判定し、金種、真偽、正損、及び、表裏などを識別する。
【００４８】
表裏反転部１０８は、搬送路１０６ａ上に配設されており、識別部１０７による識別結果に基づいて、通過する紙幣の一枚一枚について、その表裏を整えるように構成されている。具体的には、表裏反転部１０８を通過する紙幣のうち、例えば裏面が上側となっている紙幣の表裏が反転されることにより、この表裏反転部１０８から繰り出された紙幣は、全て、表面（おもてめん）が上側となるように整えられる。同様に、表裏反転部１０８を通過する紙幣のうち、表面が上側となっている紙幣の表裏を反転してもよい。
【００４９】
入金口１０２ａに投入された紙幣は、搬送路１０６ａに沿って時計回り方向に搬送されるとき、識別部１０７、表裏反転部１０８、集積部１０９への分岐箇所（分岐機構）、バラ紙幣収納部１０３への分岐箇所（分岐機構）、一時保留部１０４への分岐箇所（分岐機構）、出金リジェクト部１１７への分岐箇所（分岐機構）、及び、出金口１０５ａへの分岐箇所（分岐機構）の順で、各部を通過するように構成されている。
【００５０】
集積部１０９は、２つの集積部からなり、双方とも、結束対象の紙幣を集積するように構成されている。結束対象として集積する紙幣の金種は、適宜、設定することができる。
【００５１】
結束部１１１は、集積部１０９に集積された所定枚数（通常は１００枚）の紙幣を結束する。具体的には、結束部１１１は、紙幣を帯封するためのテープ輪を作成し、該テープ輪の中へ紙幣が搬送された後にテープを引き戻し、紙幣をテープで結束する。テープで結束することで、帯封紙幣が形成される。図示は省略するが、結束部１１１は、例えば、テープを供給するテープ供給部、及び、供給されたテープを用いてテープ輪を作成するテープ輪作成部などを備えた機構として構成されている。
【００５２】
搬送部１１０は、集積部１０９に集積された紙幣を把持して、該紙幣をテープ輪の中へ搬送する。詳細は省略するが、搬送部１１０は、例えば、上下のアーム部によって紙幣を把握する把持ユニットと、把持ユニットを水平方向及び上下方向へ移動させる手段とを備えたアーム機構として構成されている。
【００５３】
搬送部１１２は、帯封紙幣を上下方向に搬送するように構成された揚送部１１３と、揚送部１１３と帯封紙幣収納部１１５との間で帯封紙幣を水平方向に搬送するように構成された横送り部１１４と、を有している。
【００５４】
具体的に、揚送部１１３は、上下に延びる通路として形成されており、その内部には、帯封紙幣を載せて昇降するための昇降台１１３ａが設けられている。揚送部１１３の中段高さ位置は、帯封紙幣出金部１１６に連通している。よって、昇降台１１３ａが、帯封紙幣出金部１１６の後方位置まで上昇した状態で、帯封紙幣出金部１１６のシャッタ１１６ｂが開放されると、昇降台１１３ａに載置された帯封紙幣を外部へ取り出すことができる。
【００５５】
横送り部１１４は、詳細は省略するが、前後一対のプーリの間に掛け回された、前後方向に延びる搬送ベルト１１４ａを有しており、搬送ベルト１１４ａの下面と、帯封紙幣収納部１１５の上面との間に形成される通路に沿って、帯封紙幣を前後方向に搬送するようになっている。また、横送り部１１４の前端部は、揚送部１１３に連通している。よって、搬送ベルト１１４ａによって帯封紙幣を前方へ搬送したとき、搬送された帯封紙幣は、横送り部１１４から揚送部１１３へ受け渡される。また、揚送部１１３によって上昇させられた帯封紙幣を横送り部１１４へ受け渡すことも可能になっている。
【００５６】
帯封紙幣収納部１１５は、複数（本実施形態では４つ）、設けられており、それぞれ、スタック式の収納カセットとして構成されている。４つの帯封紙幣収納部１１５は、筐体１０１内の上方位置において、前後方向に一列に並んでおり、それぞれ、搬送ベルト１１４ａの下方に配置されている。４つの帯封紙幣収納部１１５には、それぞれ、搬送部１１２によって搬送された帯封紙幣が、金種別に収容されるように構成されている。なお、本実施形態では、４つの帯封紙幣収納部１１５のうち、２つの帯封紙幣収納部１１５には千円札が収容される一方、残りの２つの帯封紙幣収納部１１５には、一万円札が収容されるようになっている。五千円札は、帯封した状態では収納しないようになっている。五千円札から成る帯封紙幣の出金が要求されると、その都度、バラ紙幣収納部１０３から五千円札を搬送し、結束して出金するようになっている。なお、４つの帯封紙幣収納部１１５に収容する紙幣の金種は、適宜、個別に設定可能である。
【００５７】
帯封紙幣出金部１１６は、装置の内部から帯封紙幣を出金する出金口１１６ａを有している。出金口１１６ａは、例えば出金処理の際に帯封紙幣が払い出される開口である。出金口１１６ａは、筐体１０１前面の上部に開口しており、シャッタ１１６ｂ（図１参照）により開閉されるようになっている。
【００５８】
−硬貨処理機−
次に、硬貨処理機２００の構成について、簡単に説明する。
【００５９】
図１に示すように、硬貨処理機２００は、紙幣処理機１００と並べて設置されており、図示は省略するが、バラ硬貨を処理するバラ硬貨処理部と、包装硬貨を処理する包装硬貨処理部とから構成されている。バラ硬貨処理部及び包装硬貨処理部は、相互に硬貨が行き来できるよう、互いに接続されている。
【００６０】
バラ硬貨処理部は、その内部に、バラ硬貨を金種別に収納できるようになっており、当該バラ硬貨処理部を利用して、バラ硬貨の入金処理や、出金処理をはじめとして、種々の処理を行うことができるように構成されている。
【００６１】
包装硬貨処理部は、バラ硬貨処理部から搬送されたバラ硬貨を金種別にかつ、所定枚数（例えば５０枚）毎に包装し、包装硬貨を形成するように構成されている。形成された包装硬貨は、包装硬貨処理部の内部に収納されたり、包装硬貨処理部の外部に投出されたりするようになっている。
【００６２】
−新券払出機−
続いて、新券払出機３００の構成について説明する。図３は新券払出機３００の概略構成を示している。なお、図３では、図２と同様に、図面左側の側面が新券払出機３００の前面、図面左側の側面が新券払出機３００の後面となっている。
【００６３】
新券払出機３００は、縦長の箱状の筐体３１０を備えている。筐体３１０内には、複数の収納部３２０（例えば４個）と、装填部３３０と、払出部３４０と、一時保留部３５０と、搬送部３６０と、識別部３７０とが設けられている。さらに、筐体３１０内には、図４のみで図示する新券払出機３００の上記各構成要素を制御する制御部３８０及び記憶部３８１が設けられている。制御部３８０は、通信Ｉ／Ｆ部３８２を介してプリンタ４００及び管理装置５００と接続されている。
【００６４】
（収納部）
複数の収納部３２０は、筐体３１０の前下側において、上下方向に並べて配置されている。図３では、収納部３２０を上下方向に４個並べて配置し、４個の収納部３２０が同じ構成である例を示している。例えば、上側の３個の収納部３２０には、それぞれ新券が金種毎（例えば、万円札が上段、千円札が中段、５千円札が下段）に収容される。また、例えば、最下段の収納部３２０は、選択的に使用される収納部である。具体的には、上側の３個の収納部３２０のうちいずれか１つと同じ金種の新券Ｂが収容されたり、他の金種（例えば、２千円札）の新券Ｂが収容されたりする。
【００６５】
各収納部３２０は、集積部３２１と、繰出し機構３２２と、有無検知部３２３とを備えている。図５は収納部３２０の集積部３２１及び繰出し機構３２２の概略構成を示す平面図である。
【００６６】
集積部３２１は、上側が開口した有底箱状であり、新券Ｂは長手方向が前後方向（図３及び図５では左右方向）を向くように集積される。集積部３２１は、例えば最大３５０枚程度の新券Ｂが集積可能に構成されている。以下の説明において、収納部３２０の集積部３２１及び装填部３３０の集積部３３１に新券Ｂを収納することを「補充」ということがある。また、前後方向と直交する方向（図５及び図７では上下方向）を横方向というものとする。
【００６７】
繰出し機構３２２は、集積部３２１に集積された新券Ｂを繰り出すための繰出しローラ３２４，３２６と、新券が重なった状態で集積部３２１から繰り出されるのを阻止する逆転ローラ３２５（図６参照）とを含む。繰出しローラ３２４及び逆転ローラ３２５は、収納部３２０の新券Ｂの出入口（図３では、収納部３２０の左上の隅角部）に設けられており、上下方向に並べて配置されている。繰出しローラ３２６は、繰出しローラ３２４より後側（集積部３３１の前後方向の中間位置）に配置されている。なお、以下の説明において、収納部３２０及び装填部３３０における新券Ｂの出入口を、単に「出入口」という場合がある。
【００６８】
収納部３２０の出入口には、繰出しローラ３２４を回転駆動するための上回転軸３２４ａと、逆転ローラ３２５を回転駆動するための下回転軸３２５ａとが、上下方向に離間しかつ横方向に向かって平行に延びている。
【００６９】
上回転軸３２４ａには、上回転軸３２４ａの径よりも大きい外形を有し、新券Ｂの繰出し処理において新券Ｂに接触して繰り出すための３個の円柱状の繰出しローラ３２４が一体的に設けられている。３個の繰出しローラ３２４は、上回転軸３２４ａの軸方向に等ピッチ間隔で並べて配置されている。図１０に示すように、３個の繰出しローラ３２４は、新券Ｂのスムーズかつ正確な繰出しを行う観点から、集積部３２１に集積される新券Ｂの幅方向における中心線（長手方向に延びる中心線）に対して線対称の位置になるように配置されている。すなわち、繰出しローラ３２４は、新券Ｂの幅方向中心及びその両外側に接触して、新券Ｂを繰り出すように構成されている。また、中間の繰出しローラ３２４は、両外側の繰出しローラ３２４よりも若干幅広になっている。
【００７０】
図６に示すように、下回転軸３２５ａには、下回転軸３２５ａの径よりも大きい外形を有し、新券Ｂの繰出し処理において新券Ｂに接触幅Ｗ１で接触するように構成された、２個の逆転ローラ３２５が一体的に設けられている。具体的には、逆転ローラ３２５は、回転体３２５ｂの外側を掛け回され、収納方向に向かって互いに近づくように延び、回転体３２５ｂの回転に応じて周回するベルト３２５ｃを有するベルト型ローラである。ベルト型ローラは、繰り出される新券の前さばきができるとともに、繰出し方向端部の当たりをやさしくして繰り出しをよりスムーズにするメリットがある。
【００７１】
図６及び図１０に示すように、２個の逆転ローラ３２５は、互いに隣接する繰出しローラ３２４の横方向における中間位置にそれぞれ配置され、かつ、集積部３２１に集積される新券Ｂの幅方向の中心線に対して線対称の位置になるように配置されている。具体的には、新券Ｂの幅方向の中心線から横方向に互いに同じ距離（Ｄ１２）だけ離して配置されている。このように、繰出しローラ３２４と逆転ローラ３２５との横方向の位置をずらすことにより、両ローラ３２４，３２５が新券Ｂを強く挟持しないので、両ローラ３２４，３２５に対してインク等が付着しにくくなるとともに、仮にローラ３２４，３２５にインク等が付着している場合でも新券Ｂに転写しにくくすることができる。
【００７２】
また、繰出しローラ３２４の回転軌跡と、逆転ローラ３２５の回転軌跡とは、横方向から見て若干の重なり部分を有するように配置している。すなわち、繰り出される新券Ｂを繰出しローラ３２４と逆転ローラ３２５との間で挟み込むようになっている。なお、図１０では、新札Ｂを記載する便宜上、上記重なり部分をなくして図示している。
【００７３】
図５に戻り、繰出しローラ３２６は、上回転軸３２４ａより後側に配置され、かつ横方向に延びる回転軸３２６ａの中央近傍に１個設けられている。また、繰出しローラ３２６の横方向の両外側には、入金処理の際に、収納部３２０に収納される新券を叩いて集積部３２１の内方へと移動させる札たたき３２８が回転軸３２６ａと回転一体に設けられている。回転軸３２６ａは、ベルト３２７を用いて上回転軸３２４ａと連結されており、上回転軸３２４ａと回転軸３２６ａとは連動して回転する。繰出しローラ３２６は、収納部３２０から新券Ｂが繰り出される際に、繰り出される新券Ｂの上面に接触するように構成されている。
【００７４】
具体的には、収納部３２０から新券を繰り出す際には、繰出しローラ３２４，３２６は、新券Ｂを繰り出す方向（以下、繰出し方向という）に向かって回転し、逆転ローラ３２５は繰出し方向と反対方向（以下、送込み方向という）に向かって回転する。繰出しローラ３２６によって繰出された新券Ｂは、繰出しローラ３２４と逆転ローラ３２５との間に挟み込まれ、収納部３２０の出入口に接続された第１搬送路３６１に繰り出される。新券Ｂが重なった状態で繰出しローラ３２４と逆転ローラ３２５との間に進入した場合、下側の新券Ｂに逆転ローラ３２５からの送込み方向への力が与えられ、下側の新券Ｂは集積部３２１内に戻される。
【００７５】
図３に戻り、有無検知部３２３は、集積部３２１内の新券Ｂの有無を検知する。有無検知部３２３は、例えば、反射センサまたはマイクロスイッチによって構成される。
【００７６】
筐体３１０の前板において、複数の収納部３２０と対応する位置には、開口が形成され、その開口を塞ぐように板状の前カバー３１１が設けられている。複数の収納部３２０は、図示しない内部ユニット内に収容されており、内部ユニットの前面に前カバー３１１が固定されている。内部ユニットは、前カバー３１１及び複数の収納部３２０を含めて、一体的に前後方向にスライド移動が可能に構成されている。これにより、操作者（例えば紙幣処理機１００の管理者）は、内部ユニットを筐体３１０の外側に引き出して、横方向から収納部３２０の集積部３２１に直接、新券Ｂの補充ができるようになっている。
【００７７】
（装填部）
装填部３３０は、集積部３３１と、繰出し機構３３２と、有無検知部３３３と、開閉検知部３３９とを備えている。最上段の収納部３２０の上側は、板材を用いて矩形箱状に区画されており、その前側には開口が形成されている。この区画内は、収容空間３１２となっており、装填部３３０は、この収容空間３１２内に前後方向へのスライド移動が可能に収容されている。図７は装填部３３０の集積部３３１及び繰出し機構３３２の概略構成を示す平面図である。
【００７８】
次に、装填部３３０の各構成要素について、収納部３２０との違いを中心に説明する。例えば、装填部３３０の集積部３３１及び有無検知部３３３は、収納部３２０と同様の構成であるためここではその詳細な説明を省略する。
【００７９】
図７及び図８に示すように、繰出し機構３３２は、集積部３３１に集積された新券Ｂを繰り出すための繰出しローラ３３４，３３６と、新券が重なった状態で集積部３３１から繰り出されるのを阻止する逆転ローラ３３５とを含む。図８は繰出しローラ３３４と逆転ローラ３３５との位置関係を示している。
【００８０】
収納部３２０の場合と同様に、繰出しローラ３３４及び逆転ローラ３３５は、装填部３３０の出入口に設けられており、上下方向に並べて配置された回転軸（上回転軸３３４ａ及び下回転軸３３５ａ）と一体に構成されている。
【００８１】
具体的には、上回転軸３３４ａには、所定の幅で形成され、上回転軸３３４ａの径よりも大きい外形を有する４個の円柱状の繰出しローラ３３４が一体的に設けられている。４個の繰出しローラ３３４は、上回転軸３２４ａの軸方向に等ピッチ間隔で並べて配置されている。４個の繰出しローラ３３４は、新券のスムーズかつ正確な繰出しを行う観点から、集積部３３１に集積される新券Ｂの幅方向における中心線（長手方向に延びる中心線）に対して線対称の位置になるように配置されている。
【００８２】
下回転軸３３５ａには、下回転軸３３５ａの径よりも大きい外形を有し、新券Ｂの繰出し処理において新券Ｂに接触幅Ｗ２で接触するように構成された、３個の逆転ローラ３３５が一体的に設けられている。
【００８３】
図８及び図１０に示すように、３個の逆転ローラ３３５は、互いに隣接する繰出しローラ３３４の横方向における中間位置にそれぞれ配置され、かつ、集積部３３１に集積される新券Ｂの幅方向の中心線に対して線対称の位置になるように配置されている。具体的には、中間の逆転ローラ３３５が新券Ｂの幅方向の中心線上に配置されている。また、外側の逆転ローラ３３５は、中間の逆転ローラ３３５の両外側に互いに同じ距離（Ｄ２２）だけ離して配置されている。
【００８４】
さらに、図１０に示すように、収納部３２０の逆転ローラ３２５及び装填部３３０の逆転ローラ３３５は、逆転ローラ３２５が新券Ｂと接触する軌跡である収納側の接触軌跡（図１０における右上がりの斜線）と、逆転ローラ３３５が新券Ｂの接触する軌跡である装填側の接触軌跡（図１０における左上がりの斜線）とが、平面視において重なり部分を有さないように配置している。
【００８５】
図３に戻り、筐体３１０の前板において、収容空間３１２の前側開口と対応する位置には開口が形成されており、その開口を塞ぐように板状の前カバー３１３が設けられている。図示しないが前カバー３１３と装填部３３０とは一体的に連結されている。また、収容空間３１２を区画する横方向の両側壁には、前後方向への伸縮が可能に構成された左右一対のガイドレール３１４が取り付けられており、装填位置および引出位置の間を移動可能に構成されている。ガイドレール３１４の前端部は前カバー３１３に固定されている。前カバー３１３には、凹陥する手掛かり部３１３ａが設けられており、操作者が手掛かり部３１３ａを手前側に引くと、装填位置（図３の状態）にある装填部３３０を筐体３１０の外側（引出位置）に引き出すことができ、横方向から集積部３３１に対して新券が補充できるようになっている。なお、後述する装填搬送路３６５と第１及び第２搬送路３６１，３６２との間は、装填部３３０の装着及び引き出しに応じて、接続または分離の切り換えができるように構成されている。すなわち、装填搬送路３６５は、装填部３３０が筐体３１０の外側に引き出された際には、筐体外に露出するように構成されている。
【００８６】
（払出部）
払出部３４０は、筐体３１０内の前方上側の隅角部に設けられており、集積部３４１と、出金口３４２と、有無検知部３４３とを備えている。
【００８７】
出金口３４２は、筐体３１０の上端部における前板に矩形状に貫通形成されている。出金口３４２の形状、大きさは特に限定されないが、例えば最大１００枚の新券を一度に出金できるようになっている。
【００８８】
集積部３４１は、箱状であり、前側は出金口３４２と連通している。また、払出部３４０の後方上側の隅角部には、後述する第３搬送路３６３と接続された新券Ｂの入口が設けられ、収納部３２０等から繰り出された新券Ｂがこの入口を介して集積部３４１に送り込まれる。集積部３４１内には、図示は省略するが、複数のローラやベルトが設けられており、これらのローラやベルトが回転することによって、集積部３４１に集積された新券Ｂが出金口まで送り出される。
【００８９】
有無検知部３４３は、集積部３４１内の新券Ｂの有無を検知する。有無検知部３４３は、例えば、反射センサまたはマイクロスイッチによって構成される。
【００９０】
（一時保留部）
一時保留部３５０は、筐体３１０内において、後方上側に配置されている。一時保留部３５０は、いわゆるテープリール式であり、２つのテープリール３５２と、それぞれのテープリールに巻かれたテープ（図示省略）の先端部が接続されたドラム３５３とを含む巻き取り機構３５１を備えている。新券Ｂが後述する第４搬送路３６４に送り込まれると、モータ等の駆動部（図示省略）により、ドラム３５３が上記テープを巻き取る方向に駆動回転する。これにより、新券Ｂは、２つのテープの間に挟まれた状態でドラム３５３に巻き取られて、一時保留状態になる。そして、例えば、操作者による確認処理等によって一時保留状態が解除されると、ドラム３５３が逆方向に回転し、ドラム３５３に巻き取られていた新券Ｂが第４搬送路３６４に向かって送り出される。
【００９１】
一時保留部３５０は、さらに、一時保留部３５０内における新券Ｂの有無を検知する媒体検知部３５４を備えている。媒体検知部３５４は、例えば、反射センサまたはマイクロスイッチによって構成される。
【００９２】
（搬送部）
搬送部３６０は、第１から第４搬送路３６１，３６２，３６３，３６４と、装填搬送路３６５とを備えている。なお、図示を省略するが、これらの搬送路３６１，３６２，…，３６５には、それぞれにローラ及び無端状のベルトが設けられており、双方向への新券Ｂの搬送が可能になっている。さらに、搬送路３６１，３６２，…，３６５が分岐する各分岐点には、分岐機構３６６が設けられており、制御部３８０からの制御を受けて搬送される新券Ｂの方向を変更できるようになっている。
【００９３】
第１搬送路３６１は、基端部が各収納部３２０の出入口に接続され、そこから前方向に向かって延び、それぞれ、前カバー３１１の内方に設けられ、上下方向に互いに離間して配置された分岐機構３６６ａに接続されている。さらに、第１搬送路３６１は、各分岐機構３６６ａの間を接続するように上下方向に延びる搬送路を有し、その搬送路の上端、すなわち第１搬送路３６１の先端部は、装填部３３０と最上段の収納部３２０との中間の高さ位置に設けられた分岐機構３６６ｂに接続されている。
【００９４】
第２搬送路３６２は、基端部が分岐機構３６６ｂに接続され、そこから装填部３３０と最上段の収納部３２０との間を後方向に向かって延びた後、上方向に向かって延びている。そして、第２搬送路３６２の先端部は、一時保留部３５０の出入口と略同じ高さ位置に設けられた分岐機構３６６ｃに接続されている。
【００９５】
第３搬送路３６３は、分岐機構３６６ｃと払出部３４０の入口とを接続する搬送路である。
【００９６】
第４搬送路３６４は、分岐機構３６６ｃと一時保留部３５０の出入口とを接続する搬送路である。
【００９７】
装填搬送路３６５は、基端部が装填部３３０の出入口に接続され、そこから前方向に向かって前カバー３１３の後方まで延びた後、下方向に向かって延び、分岐機構３６６ｂに接続されている。
【００９８】
開閉検知部３３９は、装填部３３０が装着位置又は引出位置のどちらにあるかを検知するためのものである。開閉検知部３３９は、例えば、反射センサまたはマイクロスイッチによって構成される。
【００９９】
−新券の補充から出金までの流れ（計数装填）−
次に、各収納部３２０に新券を補充する場合に係る処理について、図９を用いて詳細に説明する。なお、以下の説明において、管理装置５００の制御部と制御部３８０とが協働して処理を行う場合があるが、相互の制御部間の信号のやり取り、指令のやり取りについては説明を省略するものとする。
【０１００】
まず、権限を有する管理者が、表示操作部を操作して収納部３２０への「手補充」をするのか、装填部３３０に新券の補充を行う「計数装填」をするのかを選択する。
【０１０１】
管理者が「計数装填」を選択した場合、管理装置５００の制御部は、操作表示部５０１を介して管理者に金種の入力を促す。その際に、管理装置５００の制御部が、金種毎の補充可能枚数を操作表示部に表示するようにしてもよい。
【０１０２】
管理者による金種の確定操作がされた後、管理装置５００の制御部は、例えば、操作表示部５０１に装填部３３０への新券の装填に関する案内画面を表示する。上記案内画面を表示するタイミングにおいて、制御部３８０は、装填部３３０及び前カバー３１３をロックするロック機構（図示省略）を解除する。これにより、管理者は、前カバー３１３の手掛かり部３１３ａに指を掛けて、装填部３３０を引出位置まで引き出すことができるようになる。
【０１０３】
管理者が、引き出した装填部３３０の集積部３３１に選択した金種の新券を補充し終わった後に、装填部３３０を後側に押して装着位置まで移動させると、その状態が開閉検知部３３９及び有無検知部３３３によって検知される。具体的には、開閉検知部３３９は、装填部３３０が装着状態にあることを、有無検知部３３３は集積部３３１内に新券Ｂがあることを検知し、検知結果（検知信号）を制御部３８０に送信する。
【０１０４】
制御部３８０は、上記検知結果に基づいて装填部３３０の繰出し機構３３２を制御して、装填部３３０からの新券Ｂの繰出しを開始する。装填部３３０から繰出された新券Ｂは、図９（ａ）に示すように、搬送部３６０によって、装填搬送路３６５、第２搬送路３６２及び第４搬送路３６４を介して、一時保留部３５０に送り込まれ、一時保留される。このとき、新券Ｂは、識別部３７０を１枚ずつ通過するため、制御部３８０は、識別部３７０から通過する新券Ｂの識別情報及び計数情報を取得する。なお、制御部３８０は、新券Ｂにリジェクト券（例えば、汚損紙幣や金種の異なる紙幣等）が含まれていた場合には、第３搬送路３６３を介して払出部にリジェクト券を送り込み、出金口３４２から返却するようにしてもよい。また、リジェクト券を直ちに出金せずに、一時保留部３５０と装填部３３０との間を何度か往復させることで識別部３７０を再通過させて識別情報を再取得し、それでもリジェクト券と判断された場合に、上記返却処理を行うようにしてもよい。
【０１０５】
装填部３３０から一時保留部３５０への新券Ｂの搬送が完了し、有無検知部３３３が装填部３３０内に新券Ｂがないことを検知すると、制御部３８０は、操作表示部５０１に確認画面を表示させる。例えば、一時保留部３５０に一時保留されている新券Ｂの金種及び枚数と、収容先の収納部３２０の空き状況を操作表示部５０１に表示させ、収納部３２０への収納処理を実施してよいか確認する。
【０１０６】
制御部３８０は、操作表示部５０１への確認操作がされた後、一時保留部３５０を制御して、一時保留されている新券Ｂの収納部３２０への収納を開始する。具体的には、図９（ｂ）に示すように、一時保留部３５０から送り出された新券Ｂは、搬送部３６０によって、第４搬送路３６４、第２搬送路３６２及び第１搬送路３６１を介して対応する収納部３２０に送り込まれ、収納される。なお、本実施形態では、一時保留部３５０は、テープリール式であるため、繰出し処理は行われない。
【０１０７】
管理者は、継続して別の金種の計数装填や、同じ金種で追加の計数装填を行ってもよいし、計数装填を終了してもよい。以上のようにして新券Ｂが収納部３２０に補充されると、新券払出機３００は、利用者（例えば、一般ユーザー）による出金処理の指示を受け付ける待機状態になる。
【０１０８】
続いて、利用者からの操作表示部への出金操作が行われた場合における、出金処理について説明する。
【０１０９】
利用者からの出金操作を受けると、制御部３８０は、出金対象となる金種が収容された収納部３２０の繰出し機構３２２を制御して、出金処理を開始する。具体的には、収納部３２０の繰出し機構３２２に必要枚数の新券を繰り出させる。そして、図９（ｃ）に示すように、収納部３２０から繰り出された新券は、搬送部３６０によって、第１搬送路３６１、第２搬送路３６２及び第３搬送路３６３を介して払出部３４０に送り込まれ、払出部３４０によって出金口３４２から払い出される。なお、上記出金処理において、識別部３７０によりリジェクト券と判断された新券Ｂは、一時保留部３５０を介して元の収納部３２０に戻されるようにしてもよい。これにより、例えば搬送時の新券Ｂの傾斜等の要因で、正常な新券Ｂであるにも拘わらずリジェクトされるのを防ぐことができる。
【０１１０】
このように、計数装填を行うことにより、従来のように、管理者が手作業で計数した後に直接収納部３２０に新券を補充（以下、単に「手補充」ともいう）する場合と比較して、作業性を向上させることができる。具体的には、管理者による計数に係る作業及び前さばきに係る作業を軽減することができる。また、計数装填を行うことにより、手補充の場合と比較して、人為的ミス（金種間違い、計数間違い、等）が発生する可能性を低減することができる。
【０１１１】
一方で、上記のように、「管理者が装填部に対して新券の補充を行い、装填部から収納部への補充は新券払出機が行う」、いわゆる「計数装填」を実施する場合、装填部による繰出し処理（図９（ａ）参照）と、収納部による繰出し処理（図９（ｃ）参照）の少なくとも２回の繰出し処理が行われる。この場合において、簡易な構成、すなわち、装填部３３０及び収納部３２０に互いに同じ構成の繰出し機構３３２，３２２を採用した場合、複数の繰出し処理によって、それぞれの逆転ローラ３３５，３２５からの転写や新券Ｂの擦れ合いによって付着する汚れが重なり、濃くなる場合がある。
【０１１２】
この点に関し、図１１に示す比較例を用いてより具体的に説明する。
【０１１３】
図１１は、「計数装填」において、装填部３３０及び収納部３２０に、同一構成の繰出し機構３３２，３２２を用いた場合における新券Ｂの汚れる可能性がある領域を斜線で示している。
【０１１４】
図１１に示すように、装填部３３０と収納部３２０とに同一構成の繰出し機構３３２，３２２を用いると、新券Ｂの表面（おもてめん）又は裏面（うらめん）における逆転ローラ３３５，３２５の新券Ｂへの接触位置が完全に重なるため、汚れの付着場所が重なる場合があり、濃い繰出し跡が付く場合がある。
【０１１５】
一方で、上記本実施形態で説明したような構成にすることにより、仮に、収納部３２０及び装填部３３０からの繰出し処理によって逆転ローラ３２５，３３５の接触位置（図１０の斜線部分）に若干の汚れが付着した場合においても、収納部３２０と装填部３３０とで、逆転ローラ３２５，３３５の接触位置が横方向にずらしてあるため、汚れが重ならず、新券Ｂに濃い繰出し跡が付くことを防止することができる。特に、逆転ローラ３２５，３３５は、繰出し方向と逆の送込み方向に向かって回転しているため、汚れの付着する可能性が高い。そこで、収納部３２０及び装填部３３０の互いの逆転ローラ３２５，３３５の接触位置が重なり部分を有さないように構成する、すなわち、接触位置が異なる位置になるようにすることにより、より確実に紙葉類の汚れの重なりを防ぐことができ、新券に濃い繰出し跡が付くことを防止することができる。
【０１１６】
なお、上記実施形態では、詳細に説明していないが、収納部３２０及び装填部３３０の繰出しローラ３２４，３３４に関しても、新券Ｂに若干の汚れが付着する可能性がある。そこで、本実施形態では、収納部３２０及び装填部３３０の繰出しローラ３２４，３３４に関しても、接触位置の少なくとも一部が他のローラと互いに異なるように配置している。すわなち、本実施形態では、各ローラ（繰出しローラ３２４，３３４及び逆転ローラ３２５，３３５）と新券Ｂとの接触位置を調整し、汚れの付着する可能性がある位置を分散させることにより、新券Ｂに濃い繰出し跡が付かないようにしている。
【０１１７】
＜その他の実施形態＞
なお、上記実施形態では、「計数装填」の場合について説明したが、これに限られるものではない。例えば、図１２に示すように、一時保留部３５０がスタック式の場合には、収納部３２０に新券Ｂを補充する、いわゆる「手補充」を行った場合においても、「計数装填」の場合と同様の問題が生じる場合があり、本開示の技術を適用することにより解決することができる。以下において、図面を参照しながら具体的に説明する。
【０１１８】
−新券払出機−
図１２に示す新券払出機３００ついて、上記実施形態の構成との相違点を中心に説明する。具体的には、図３ではテープリール式の一時保留部３５０を用いていたのに対し、図１２ではスタック式の一時保留部３９０を用いている点が異なる。
【０１１９】
（一時保留部）
図１２に示すように、一時保留部３９０は、集積部３９１と、繰出し機構３９２と、有無検知部３９３とを備えている。なお、集積部３９１及び有無検知部３９３は、収納部３２０と同様の構成であり、ここではその詳細な説明を省略する。
【０１２０】
図示を省略するが、繰出し機構３９２は、収納部３２０の構成と同様に、２個の回転軸に対してそれぞれ設けられた繰出しローラと、逆転ローラとを含む。そして、繰出し機構３９２の逆転ローラは、新券Ｂの接触位置が、少なくとも収納部３２０の逆転ローラ３２５と異なるように構成されているのが好ましい。具体的には、一時保留部３９０の逆転ローラは、図１０において、Ｗ１で示された領域外において、新券Ｂと接触するように構成されているのが好ましい。また、一時保留部３９０の逆転ローラは、新券Ｂの接触位置が、収納部３２０及び装填部３３０の逆転ローラ３２５，３３５の両方と異なるように構成されているのがより好ましい。例えば、図１０において、新券Ｂ内で斜線が引かれていない領域に、一時保留部３９０の逆転ローラが新券Ｂに接触する接触位置がくるように構成するのが好ましい。
【０１２１】
以下において、手補充の場合における例を示して、上記構成が好ましい理由について説明する。
【０１２２】
−新券の補充から出金までの流れ（手補充）−
管理者が「手補充」を選択した場合、制御部３８０は、前カバー３１１のロックを解除する。管理者は、内部ユニットを前カバー３１１ごと引出位置まで引き出し、補充対象の金種に応じた収納部３２０に手で新券Ｂを補充する。管理者が収納部３２０に新券Ｂを補充した後に、前カバー３１１を押して内部ユニットを装填位置まで押し込むと、制御部３８０は前カバー３１１のロック機構を作動させ、前カバー３１１がロックされる。これにより、補充作業は完了し、新券払出機３００は待機状態となる。
【０１２３】
続いて、利用者は操作表示部５０１への出金操作を行う。出金処理については、計数装填と同様であり、ここではその説明を省略する。
【０１２４】
以上のように、収納部３２０と一時保留部３９０に繰出し機構が設けられている場合においても、複数回の繰出し処理が行われる場合がある。そして、収納部３２０の繰出し機構３２２と、一時保留部３９０の繰出し機構３９２とにおいて、接触部（例えば、繰出しローラや逆転ローラ）の接触位置を互いに異ならせることにより、仮に接触部から紙葉類へのインク等の転写があって若干の汚れが紙葉類に付着するようなことがある場合においても、汚れが重なって濃くなることを防ぐことができる。
【０１２５】
−その他の変形例−
上記実施形態では、本開示に係る技術が新券払出機３００に適用される例について説明したが、適用される装置は、新券払出機３００に限らない。例えば、紙幣処理機１００において本開示に係る技術を適用してもよい。例えば、紙幣処理機１００において、入金部１０２と、バラ紙幣収納部１０３と、一時保留部１０４に設けられた繰出し機構のうち、少なくとも２つの繰出し機構において、上記実施形態のように、接触部（例えば、繰出しローラや逆転ローラ）の接触位置を互いに異ならせるようにすればよい。
【０１２６】
また、繰出し機構を構成する繰出しローラ及び逆転ローラの形状は、特に限定されない。例えば、繰出しローラの形状がベルト型であってもよく、分離ローラの形状も、ベルト型であってもよいし、回転軸心回りに回転する環状又は円柱状の回転ローラであってもよい。
【０１２７】
また、上記実施形態では、紙葉類分離部として、逆転ローラが適用されている例を示したが、紙葉類分離部は逆転ローラに限定されない。例えば、板状の分離シートが逆転ローラと同じ位置に配置されていてもよい。また、逆転ローラは、繰出しローラと逆方向に回転するものとしたが、これに限定されない。例えば、紙葉類分離部として、繰出しローラと同じ回転方向であるが、回転速度を遅くしたローラを設け、このローラによって重なった紙葉類の分離を行うようにしてもよい。
【０１２８】
また、上記実施形態では、収納部３２０の繰出し機構３２２と、装填部３３０の繰出し機構３３２において、逆転ローラの横方向の位置を、重なり部分を有さないように配置しているが、その一部に重なり部分を有するようにしてもよい。例えば、少なくとも紙葉類のインクの濃い部分は、接触位置が重ならないように構成するとしてもよい。また、接触位置の横方向の中心部分において接触圧が強いような構成の場合に、接触位置の横方向の中心部分は重ならないようにする一方で、横方向の両側においては重なり部分を有するようにしてもよい。
【０１２９】
また、上記実施形態では、装填部３３０と収納部３２０の逆転ローラの数を異ならせているが、装填部３３０と収納部３２０の逆転ローラの数が同じであっても、紙葉類との接触位置をずらすことで、同様の効果を得ることができる。繰出しローラについても同様である。すなわち、逆転ローラや繰出しローラを用いて例示した接触部が紙葉類と接触する接触位置の少なくとも一部を互いに異ならせることにより、紙幣に濃い繰出し跡が付くことを防止する効果が得られる。例えば、上記実施形態では、繰出しローラ３２４，３３４及び逆転ローラ３３５は、それぞれの回転軸の軸方向に等ピッチで配置されているものとしたがこれに限定されない。同様に、上記実施形態では、繰出しローラ３２４，３３４及び逆転ローラ３３５は、新券Ｂの幅方向における中心線に対して線対称の位置になるように配置されているものとしたがこれに限定されない。
【０１３０】
また、上記実施形態では、新券Ｂを上下方向に積み重ねて収納する収納部３２０を示しているが、新券Ｂを水平方向に並べて収納する収納部としてもよい。
【０１３１】
また、上記実施形態では、集積部（例えば、収納部３２０、装填部３３０等）は、箱状であるものとしたが、これに限定されず、集積部は紙幣が集積される構成であれば他の形状であってもよい。例えば、集積部は、前側及び上側の２側面が解放された形状やさらに一方の側面を開放し３側面が解放された形状であってもよい。
【０１３２】
また、処理対象となる紙葉類は新券に限らず、流通している紙幣であってもよい。また紙幣に限らず、商品券や、小切手や商品券等の有価証券を含む紙葉類全般であり、ここに開示する技術は、紙葉類処理装置に適用可能である。
【産業上の利用可能性】
【０１３３】
本発明は払い出される紙幣に濃い繰出し跡が付くことを防止することができるので、紙葉類の払い出しを行うための紙葉類処理装置に極めて有用であり、特に新券を扱う紙葉類処理装置に極めて有用である。
【符号の説明】
【０１３４】
１００  紙幣処理機（紙葉類処理装置）
３００  新券払出機（紙葉類処理装置）
３２１  集積部
３２４  繰出しローラ（接触部）
３２５  逆転ローラ（接触部）
３３４  繰出しローラ（接触部）
３３５  逆転ローラ（接触部）
３３１  集積部
３６０  搬送部
３９１  集積部
【図１】
2018077661.tif 000003
【図２】
2018077661.tif 000004
【図３】
2018077661.tif 000005
【図４】
2018077661.tif 000006
【図５】
2018077661.tif 000007
【図６】
2018077661.tif 000008
【図７】
2018077661.tif 000009
【図８】
2018077661.tif 000010
【図９】
2018077661.tif 000011
【図１０】
2018077661.tif 000012
【図１１】
2018077661.tif 000013
【図１２】
2018077661.tif 000014